(57)【要約】      （修正有）【課題】プレス本体に電動機、回転を直線運動に変換する機構、加圧するためのラムを一体して、携帯型のプレスとすることで、被加工物に要求される加圧方向及び要求される加圧位置制御を自由に設定して種々のプレス作業ができるようにすること。【解決手段】電動機４と、電動機４を駆動するモータドライバ１０と、回転力をネジ機構にてプレス用のラム１の直線運動に変換する変換機構とを備えたプレス本体３とを一体的に構成すること。ラム１の直線運動の方向に対して平行な取付面７ａを有する取付ベース７を前記プレス本体３に設ける。【選択図】図１
2006263821.tif 000002
【特許請求の範囲】
【請求項１】
中央演算処理装置（ＣＰＵ）を用いて制御可能にされ、モータドライバ（１０）にて駆動するように設けられているステッピングモータ等の数値制御される電動機（４）と、該電動機から伝達された回転力を直線運動に変換する変換機構のボールネジのネジ機構と直線運動するラムの円筒状に形成された筒状本体（１ａ）とを同軸に配置すると共に、前記電動機を一体として備えたプレス本体（３）と、前記電動機（４）を制御するために前記プレス本体（３）とは分離した位置に設けられて、前記ラム（１）の各位置の少なくとも被加工物直前位置、加圧終了位置の制御及び速度の制御、さらには、被加工物に対する加圧力の制御を可能とするためのスイッチ、ボタン等の設定ボタンが設けられている制御ボックスとを設け、前記プレス本体（３）には架台等の強固な被取付部（Ｐ）に取付具（９）により直接着脱可能とするための、前記ラム（１）の直線運動の方向に対して平行な取付面（７ａ）を有する取付ベース（７）を設けてなることを特徴とする携帯型電動プレス。
【請求項２】
請求項１において、前記取付ベースはラムの軸方向を中心としてプレス本体の左右側に突出するように設けると共に、該取付ベースは前記プレス本体のラム突出側寄り位置に配置してなることを特徴とする携帯型電動プレス。
【請求項３】
請求項２において、前記取付ベースの左右側に切欠き状の取付部を形成してなることを特徴とする携帯型電動プレス。
【発明の詳細な説明】
【技術分野】
【０００１】
本発明は、小型、小容量の被加工物に対して、ラムなる加工軸の軸方向を自在にして種々のプレス作業ができる携帯型電動プレスに関する。
【背景技術】
【０００２】
従来よりプレス機は種々のタイプのものが存在している。その中には、携帯型プレスも存在している。該携帯型プレスには、加工軸の軸方向に直交した取付面を有した取付ベースが設けられているものが開発されている。
【発明の開示】
【発明が解決しようとする課題】
【０００３】
そのような取付面を有した取付ベースを設けた携帯型プレスは、確かに、取り付けることができるが、直交しているがゆえに、加工軸の方向を適宜の方向を所望して取り付けるのに面倒な点があったり、取付の自由度に制限されることもあり、これらの欠点を解決することが望まれている。
【課題を解決するための手段】
【０００４】
中央演算処理装置（ＣＰＵ）を用いて制御可能にされ、モータドライバ（１０）にて駆動するように設けられているステッピングモータ等の数値制御される電動機（４）と、該電動機から伝達された回転力を直線運動に変換する変換機構のボールネジのネジ機構と直線運動するラムの円筒状に形成された筒状本体（１ａ）とを同軸に配置すると共に、前記電動機を一体として備えたプレス本体（３）と、前記電動機（４）を制御するために前記プレス本体（３）とは分離した位置に設けられて、前記ラム（１）の各位置の少なくとも被加工物直前位置、加圧終了位置の制御及び速度の制御、さらには、被加工物に対する加圧力の制御を可能とするためのスイッチ、ボタン等の設定ボタンが設けられている制御ボックスとを設け、前記プレス本体（３）には架台等の強固な被取付部（Ｐ）に取付具（９）により直接着脱可能とするための、前記ラム（１）の直線運動の方向に対して平行な取付面（７ａ）を有する取付ベース（７）を設けてなることを特徴とする携帯型電動プレスとしたことにより、前記の課題を解決したものである。
そしてまた、本発明は、その取付ベースはラムの軸方向を中心としてプレス本体の左右側に突出するように設けると共に、該取付ベースは前記プレス本体のラム突出側寄り位置に配置してなることを特徴とする携帯型電動プレスとすることにより課題を解決したものである。
更に本発明はその取付ベースの左右側に切欠き状の取付部を形成してなることを特徴とする携帯型電動プレスとすることにより課題を解決したものである。
【発明の効果】
【０００５】
本発明では、中央演算処理装置（ＣＰＵ）を用いて制御可能にされ、ステッピングモータ等の数値制御される電動機４と、該電動機の回転力を伝達され、同軸のネジ機構にてプレス用のラム１の直線運動に変換する変換機構を備えたプレス本体３と一体的に備え、該プレス本体に前記ラム１の直線運動の方向に対して平行な取付面７ａを有する取付ベース７を設け、取付面７ａを被取付部（Ｐ）に直接装着するようにした携帯型電動プレスとし、更に被加工物に対するする制御を可能とするための制御ボックスをプレス本体から分離したことにより、装置全体をコンパクトに形成することで、携帯型プレスとすることが出来る。
【０００６】
また、回転力を伝達されるネジ機構とプレス用のラム１の直線運動に変換する変換機構を同軸上に配置したことにより、装置全体をコンパクトにすることができると共に、伝達力を確実に伝達する携帯型プレスとすることが出来る。
そして、ラム１の直線運動である軸方向と平行な取付面７ａであるがゆえに、相互の方向が一致するから、取付方向が自由自在となり、取り付けやすく、しかも正確な位置に簡単な取付ができ、取付の自由度を格段と大きくできる最大の利点がある。このため被取付部（Ｐ）に加圧方向に対して平行な取り付けるための平面部を用意することにより、所望の位置に、且つ所望の方向、角度に向けた取付ができる携帯型プレスとすることが出来る。
【０００７】
また、回転力を伝達されるネジ機構とプレス用のラム１の直線運動に変換する変換機構を同軸上に配置し、装置全体をよりコンパクトにしたことにより、被取付体Ｐが強固であれば、本発明の携帯型電動プレスのラム１の箇所での歪みは殆ど回避でき、正確なるプレス作業が可能となる。
即ち、従来のデスクトップスタイルのプレス機では、ラム箇所をベース上にコ字状等の結合部・支持部を介して設ける必要が有り、加圧したときに、その結合部・支持部が加圧の反力を受けて歪むことでラム先端位置が所定位置から移動することにより、プレス作業が正確にできなくなる欠点があったが、この点を確実に解消できるプレス作業が可能となる。
【０００８】
また本発明では、前記取付ベース７は前記プレス本体３のラム１突出側寄り位置で、且つラム１の軸方向を中心としてプレス本体３の左右側に突出するように設けてなる携帯型電動プレスとしたことにより、加圧力を与えるラム１に対して取付位置が取付ベース７の前位置でしかも左右対称的に支持でき、安定した支持固定ができると共に、加圧力を与えた反力にもバランス良く支持できる利点がある。特に、取付ベース７は前記プレス本体３のラム１突出側寄り位置であるがゆえに、荷重を与えたときのプレス本体３が持ち上がるようになるような捩じれ反力を最小にでき、安定した取付構造にできる。
【０００９】
また、本発明では、前記取付ベース７の左右側に切欠き状の取付部８を形成してなる携帯型電動プレスとしたことにより、取付ボルト等の取付具９を簡易に取付け，取外しができる利点がある。
【発明を実施するための最良の形態】
【００１０】
電動機４と、該電動機４を駆動するモータドライバ１０と、電動機から伝達された回転力ボールネジのネジ機構にてプレス用のラムを装着した円筒状に形成された筒状本体（１ａ）の直線運動に変換する変換機構を同軸に配置したプレス本体３と、を一体として備えること。前記プレス本体３に架台等の強固な被取付部Ｐに直接着脱可能に形成すること。そのために、前記ラム１の直線運動の方向に対して平行な取付面７ａを有する取付ベース７を設けてなること。これにより、数値制御される電動機の回転量がプレス用のラムを装着した円筒状に形成された筒状本体（１ａ）の直線運動量に正確に変換される。回転力を変換するボールネジとラムを装着した円筒状に形成された筒状本体（１ａ）とを同軸に構成することで、一体型で、且つ複雑な伝達経路を介さないことで、シンプルな伝達経路により、正確な位置制御と、確実な圧力の伝達が行なわれる。
【実施例】
【００１１】
以下、本発明の実施の形態を図面に基づいて説明すると、本発明の電動プレスは、回転力をネジ機構にてプレス用のラム１の直線運動に変換する変換機構を備えている。該変換機構は、具体的には、図１及び図２に示すように、直線運動（水平方向，上下方向，傾斜方向等）により、被加工物Ｗに対して所望の圧力を与えるプレス用のラム１と、該ラム１に直線運動を与えるボール螺子２とからなり、これらがプレス本体３内に設けられている。また、駆動源となるステッピングモータ等の電動機４も前記プレス本体３に接続したケーシング５内に設けられて、全体として一体化されている。電動機４の駆動は、プーリ，ベルトを介してボール螺子２に伝達される。
【００１２】
まず、ラム１の構造については、図１に示すように、筒状体に形成されたものであって、具体的には円筒状に形成された筒状本体１ａの内部に同軸の中空状部が形成されており、該中空状部の内部にボール螺子２の螺子軸２ａが挿入可能となっており、ラム１の筒状本体１ａの軸長方向端部箇所には、ボール螺子２のナット体２ｂが固着されている。
【００１３】
その筒状本体１ａの先端部には押圧体１ｂが装着自在となるように構成されており、実際には該押圧体１ｂが被加工物Ｗに当接して、適宜の圧力を与えるものであり、さらにその押圧体１ｂには、歪みゲージの取付が可能に構成されることもあり、該歪みゲージによって、被加工物Ｗに与える圧力を検出することができるようになっている。
【００１４】
その筒状本体１ａの外周側面を包むようにして筒状ガイド６が設けられている。該筒状ガイド６は、プレス本体３内に固定され、その筒状ガイド６に沿ってラム１が直線運動可能に構成されている。該ラム１は、軸方向直交面上において回転しないように適宜な振れ止ガイドが設けられている。
【００１５】
取付ベース７が前記ラム１の直線運動の方向に対して平行な取付面７ａを有して前記プレス本体３に設けられている。具体的には、前記取付ベース７は、前記プレス本体３のラム１突出側近辺位置で、しかも前記プレス本体３の軸方向を中心として左右側に突出するように設けられている。
【００１６】
該取付ベース７の縁部には、架台や取付台等の被取付体Ｐに取り付けるための取付部８が複数設けられている。該取付部８は、取付孔であってもよく、図２，３に示すように、切欠きとして形成されていることも多い。何れにしても、架台や取付台等の被取付体Ｐに取付可能であれば、孔や切欠きに制限されない。
【００１７】
前記電動機４は、中央演算処理装置（ＣＰＵ）を用いて制御可能にされ、モータドライバ１０にて駆動するように設けられている。即ち、ラム１の各位置（上限位置，下限位置，被加工物直前位置，加圧終了位置等）の制御，速度の制御，さらには、被加工物に帯する加圧力の制御も可能に設けられている。この制御ボックスは、プレス本体３とは分離した位置に設けられ、その制御のためのスイッチ，ボタン等の設定ボタンが適宜備えられている。図中９はボルト等の取付具である。
【００１８】
本発明の電動プレスは、平面状の被取付体Ｐに図１に示すように、１台のみ設置することもあるし、図５に示すように、被加工物Ｗに対して囲むようにして多方向から作業が同時にできるし、勿論、垂直壁状の被取付体Ｐに対しても取付が可能である。
【図面の簡単な説明】
【００１９】
【図１】本発明を水平な取付台に設置した断面図
【図２】本発明の斜視図
【図３】本発明の底面図
【図４】本発明を垂直面を有した取付台に設置した一部断面とした側面図
【図５】本発明を水平面を有した取付台に放射状に４台設置した平面図
【符号の説明】
【００２０】
１…ラム
３…プレス本体
４…電動機
７…取付ベース
７ａ…取付面
８…取付部
１０…モータドライバ
【図１】
2006263821.tif 000003
【図２】
2006263821.tif 000004
【図３】
2006263821.tif 000005
【図４】
2006263821.tif 000006
【図５】
2006263821.tif 000007